【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
少なく９０％飽和度を有し、かつグループII、グループIII、グループIV及びグループV基油並びにその混合物から選ばれる主要量の基油と少量の添加剤パッケージとを含んでなるエンジンオイル組成物であって、ここで該添加剤パッケージが、
（Ａ）式ＩおよびＩＩ：
【化１】
2014122345.tif 000001
［式中、Ｒは約８〜約２２個の炭素原子をもつ、直線状もしくは分枝状の、飽和、不飽和、または一部飽和ヒドロカルビル基であり、そしてＲ１は約１〜約８個の炭素原子をもつヒドロカルビルまたは、１個以上のヘテロ原子を含むＣ１〜Ｃ８ヒドロカルビル基である］、
【化２】
2014122345.tif 000002
［式中、Ｒは約８〜約２２個の炭素原子をもつ、直線状もしくは分枝状の、飽和、不飽和、または一部飽和ヒドロカルビル基であり、そしてＲ２とＲ３は独立して、水素、Ｃ１〜Ｃ１８ヒドロカルビル基および、１個以上のヘテロ原子を含むＣ１〜Ｃ１８ヒドロカルビル基から成る群から選択される］、の１種以上の化合物、
（Ｂ）式ＩＩＩおよびＩＶ：
【化３】
2014122345.tif 000003
［式中、Ｒは約８〜約２２個の炭素原子をもつ、直線状もしくは分枝状の、飽和、不飽和、または一部飽和ヒドロカルビル基であり、そしてＸはアルカリ金属、アルカリ土類金属またはアンモニウムのカチオンであり、そしてｎはカチオンＸの原子価である］、
【化４】
2014122345.tif 000004
［式中、Ｒは約８〜約２２個の炭素原子をもつ、直線状もしくは分枝状の、飽和、不飽和、または一部飽和ヒドロカルビル基である］、
の化合物から成る群から独立して選択される２種以上の化合物、並びに
（Ｃ）式ＩおよびＩＩの少なくとも１種の化合物と組み合わせた、式ＩＩＩおよびＩＶの少なくとも１種の化合物、から選択される１種以上の摩擦修正剤成分、
を含んでなり、
前記エンジンオイル組成物は、エンジンオイルとして使用するのに適合し、前記エンジンオイル組成物は、５０〜１０００ｐｐｍのリン含有量を有し、前記エンジンオイル組成物は、０．１〜２．０重量％の摩擦修正剤成分（Ａ）〜（Ｃ）を含有する（但し、エンジンオイル組成物の全重量基準）、エンジンオイル組成物。
【請求項２】
１種以上の摩擦修正剤成分が、式Ｉのエステルである、請求項１のエンジンオイル組成物。
【請求項３】
１種以上の摩擦修正剤成分が、式ＩＩのアミドである、請求項１のエンジンオイル組成物。
【請求項４】
摩擦修正剤成分が少なくとも１種の、式ＩＩＩの塩を含んでなる、請求項１のエンジンオイル組成物。
【請求項５】
添加剤パッケージが式Ｉ〜ＩＶから成る群から独立して選択される少なくとも２種の異なる化合物を含んでなる、請求項１のエンジンオイル組成物。
【請求項６】
Ｒ１が約１〜約８個の炭素原子をもつヒドロカルビル基である、請求項２のエンジンオイル組成物。
【請求項７】
Ｒ１が、１個以上のヘテロ原子を含むＣ１〜Ｃ８ヒドロカルビル基を含むヒドロカルビル基である、請求項２のエンジンオイル組成物。
【請求項８】
Ｒ２とＲ３が独立して、水素、Ｃ１〜Ｃ１８ヒドロカルビル基および、１個以上のヘテロ原子を含むＣ１〜Ｃ１８ヒドロカルビル基、から成る群から選択される、請求項３のエンジンオイル組成物。
【請求項９】
１種以上の、式ＩＩＩの摩擦修正剤成分が、ナトリウム、リチウム、カリウム、カルシウム、マグネシウムおよびアンモニウムのカチオンから成る群から選択される１個以上のカチオンの塩である、請求項４のエンジンオイル組成物。
【請求項１０】
主要量の基油と少量の添加剤パッケージとを含んでなるエンジンオイル組成物であって、ここで該添加剤パッケージが、
式ＩＶ：
【化５】
2014122345.tif 000005
［式中、Ｒは約８〜約２２個の炭素原子をもつ、直線状もしくは分枝状の、飽和、不飽和、または一部飽和ヒドロカルビル基である］の１種以上の化合物と、  式Ｖ：
【化６】
2014122345.tif 000006
［式中、Ｒ２、Ｒ３およびＲ４は独立して、水素、Ｃ１〜Ｃ１８ヒドロカルビル基および、Ｃ１〜Ｃ１８ヒドロカルビル基と１個以上のヘテロ原子を含む炭化水素、から成る群から選択される］の１種以上のアミンとの、
１種以上のアミド反応生成物を含んでなり、
前記エンジンオイル組成物は、エンジンオイルとして使用するのに適合し、
前記エンジンオイル組成物は、５０〜１０００ｐｐｍのリン含有量を有し、
前記エンジンオイル組成物は、０．１〜２．０重量％のアミド反応生成物を含有する（但し、エンジンオイル組成物の全重量基準）、エンジンオイル組成物。
【請求項１１】
Ｒ２、Ｒ３およびＲ４が独立して、水素、Ｃ３〜Ｃ１２ヒドロカルビル基および、Ｃ３〜Ｃ１２ヒドロカルビル基と１個以上のヘテロ原子を含む炭化水素、から成る群から選択される、請求項１０のエンジンオイル組成物。
【請求項１２】
少なく９０％飽和度を有し、かつグループII、グループIII、グループIV及びグループV基油並びにその混合物から選ばれる主要量の基油と少量の添加剤パッケージとを含んでなるエンジンオイル組成物であって、ここで該添加剤パッケージが、式ＩＶ：
【化７】
2014122345.tif 000007
［式中、Ｒは約８〜約２２個の炭素原子をもつ、直線状もしくは分枝状の、飽和、不飽和、または一部飽和ヒドロカルビル基である］の１種以上の化合物と、
１種以上のアルコールとの、１種以上の反応生成物を含んでなり、
前記エンジンオイル組成物は、エンジンオイルとして使用するのに適合し、
前記エンジンオイル組成物は、５０〜１０００ｐｐｍのリン含有量を有し、
前記エンジンオイル組成物は、０．１〜２．０重量％の、１種以上の式ＩＶの化合物と１種以上のアルコールとの１種以上の反応生成物 を含有する（但し、エンジンオイル組成物の全重量基準）、エンジンオイル組成物。
【請求項１３】
１種以上のアルコールが約１〜約８個の炭素原子をもつヒドロカルビル基を含む、請求項１２のエンジンオイル組成物。
【請求項１４】
１種以上のアルコールが約１〜約８個の炭素原子および１個以上のヘテロ原子をもつヒドロカルビル基を含む、請求項１２のエンジンオイル組成物。
【請求項１５】
少なく９０％飽和度を有し、かつグループII、グループIII、グループIV及びグループV基油並びにその混合物から選ばれる主要量の基油と少量の添加剤パッケージとを含んでなるエンジンオイル組成物であって、ここで該添加剤パッケージが、式ＩＶ：
【化８】
2014122345.tif 000008
［式中、Ｒは約８〜約２２個の炭素原子をもつ、直線状もしくは分枝状の、飽和、不飽和、または一部飽和ヒドロカルビル基である］の１種以上の化合物と、
１種以上のアミンアルコールとの、１種以上のアミドまたはエステル反応生成物を含んでなり、
前記エンジンオイル組成物は、エンジンオイルとして使用するのに適合し、
前記エンジンオイル組成物は、５０〜１０００ｐｐｍのリン含有量を有し、
前記エンジンオイル組成物は、０．１〜２．０重量％の１種以上のアミドまたはエステル反応生成物を含有する（但し、エンジンオイル組成物の全重量基準）、エンジンオイル組成物。
【請求項１６】
アミンアルコールがエタノールアミン、ジエタノールアミン、アミノエチルエタノールアミン、トリス−ヒドロキシメチルアミノ−メタン（ＴＨＡＭ）およびそれらの混合物から選択される、請求項１５に請求される通りのエンジンオイル組成物。
【請求項１７】
少なく９０％飽和度を有し、かつグループII、グループIII、グループIV及びグループV基油並びにその混合物から選ばれる主要量の基油と少量の添加剤パッケージとを含んでなるエンジンオイル組成物組成物であって、ここで該添加剤パッケージが、
（Ａ）式ＩＶ：
【化９】
2014122345.tif 000009
［式中、Ｒは約８〜約２２個の炭素原子をもつ、直線状もしくは分枝状の、飽和、不飽和、または一部飽和ヒドロカルビル基である］の１種以上の化合物と、
１種以上の、アルカリ金属の水酸化物、アルカリ土類金属の水酸化物、アルカリ金属の酸化物、アルカリ土類金属の酸化物、アンモニアまたはアミン、
との塩反応生成物、および
（Ｂ）前記の１種以上の成分（Ａ）の化合物と異なる、式Ｉ〜ＩＶ：
【化１０】
2014122345.tif 000010
［式中、Ｒは約８〜約２２個の炭素原子をもつ、直線状もしくは分枝状の、飽和、不飽和、または一部飽和ヒドロカルビル基であり、そしてＲ１は約１〜約８個の炭素原子をもつヒドロカルビルまたは、１個以上のヘテロ原子を含むＣ１〜Ｃ８ヒドロカルビル基である］、
【化１１】
2014122345.tif 000011
［式中、Ｒは約８〜約２２個の炭素原子をもつ、直線状もしくは分枝状の、飽和、不飽和、または一部飽和ヒドロカルビル基であり、そしてＲ２とＲ３は独立して、水素、Ｃ１〜Ｃ１８ヒドロカルビル基および、１個以上のヘテロ原子を含むＣ１〜Ｃ１８ヒドロカルビル基から成る群から選択される］、
【化１２】
2014122345.tif 000012
［式中、Ｒは約８〜約２２個の炭素原子をもつ、直線状もしくは分枝状の、飽和、不飽和、または一部飽和ヒドロカルビル基であり、そしてＸはアルカリ金属、アルカリ土類金属またはアンモニウムのカチオンであり、そしてｎはカチオンＸの原子価である］、および
【化１３】
2014122345.tif 000013
［式中、Ｒは約８〜約２２個の炭素原子をもつ、直線状もしくは分枝状の、飽和、不飽和、または一部飽和ヒドロカルビル基である］、
のうちの少なくとも１種の化合物、
を含んでなり、
前記エンジンオイル組成物は、エンジンオイルとして使用するのに適合し、
前記エンジンオイル組成物は、５０〜１０００ｐｐｍのリン含有量を有し、
前記エンジンオイル組成物は、０．１〜２．０重量％の１種以上の反応生成物（Ａ）及び少なくとも１種の化合物（Ｂ）の組み合わせを含有する（但し、エンジンオイル組成物の全重量基準）、エンジンオイル組成物。
【請求項１８】
少なく９０％飽和度を有し、かつグループII、グループIII、グループIV及びグループV基油並びにその混合物から選ばれる主要量の基油と少量の添加剤パッケージとを含んでなるエンジンオイル組成物組成物であって、ここで該添加剤パッケージが、
（Ａ）式ＩＶ：
【化１４】
2014122345.tif 000014
［式中、Ｒは約８〜約２２個の炭素原子をもつ、直線状もしくは分枝状の、飽和、不飽和、または一部飽和ヒドロカルビル基である］の１種以上の化合物、並びに
（Ｂ）前記の１種以上の成分（Ａ）の化合物と異なる、式Ｉ〜ＩＶ：
【化１５】
2014122345.tif 000015
［式中、Ｒは約８〜約２２個の炭素原子をもつ、直線状もしくは分枝状の、飽和、不飽和、または一部飽和ヒドロカルビル基であり、そしてＲ１は約１〜約８個の炭素原子をもつ
ヒドロカルビルまたは、１個以上のヘテロ原子を含むＣ１〜Ｃ８ヒドロカルビル基である］、
【化１６】
2014122345.tif 000016
［式中、Ｒは約８〜約２２個の炭素原子をもつ、直線状もしくは分枝状の、飽和、不飽和、または一部飽和ヒドロカルビル基であり、そしてＲ２とＲ３は独立して、水素、Ｃ１〜Ｃ１８ヒドロカルビル基および、１個以上のヘテロ原子を含むＣ１〜Ｃ１８ヒドロカルビル基から成る群から選択される］、
【化１７】
2014122345.tif 000017
［式中、Ｒは約８〜約２２個の炭素原子をもつ、直線状もしくは分枝状の、飽和、不飽和、または一部飽和ヒドロカルビル基であり、そしてＸはアルカリ金属、アルカリ土類金属またはアンモニウムのカチオンであり、そしてｎはカチオンＸの原子価である］、並びに
【化１８】
2014122345.tif 000018
［式中、Ｒは約８〜約２２個の炭素原子をもつ、直線状もしくは分枝状の、飽和、不飽和、または一部飽和ヒドロカルビル基である］、
の少なくとも１種の化合物、を含んでなり、
前記エンジンオイル組成物は、エンジンオイルとして使用するのに適合し、
前記エンジンオイル組成物は、５０〜１０００ｐｐｍのリン含有量を有し、
前記エンジンオイル組成物は、０．１〜２．０重量％の１種以上の化合物（Ａ）及び１種以上の化合物（Ａ）と異なる少なくとも１種の化合物（Ｂ）の組み合わせを含有する（但し、エンジンオイル組成物の全重量基準）、エンジンオイル組成物。
【請求項１９】
Ｒが約１０〜約２０個の炭素原子を有する、請求項１〜１８のいずれか１項のエンジンオイル組成物。
【請求項２０】
Ｒが約１２〜約１８個の炭素原子を有する、請求項１〜１８のいずれか１項のエンジンオイル組成物。
【請求項２１】
少なく９０％飽和度を有し、かつグループII、グループIII、グループIV及びグループV基油並びにその混合物から選ばれる主要量の基油と少量の添加剤パッケージとを含んでなるエンジンオイル組成物であって、ここで該添加剤パッケージが、式ＩＶ：
【化１９】
2014122345.tif 000019
［式中、Ｒは約８〜約２２個の炭素原子をもつ、直線状もしくは分枝状の、飽和、不飽和、または一部飽和ヒドロカルビル基である］の１種以上の化合物と、
１種以上の、アルカリ金属の水酸化物、アルカリ土類金属の水酸化物、アルカリ金属の酸化物、アルカリ土類金属の酸化物、アンモニアまたはアミン、
との１種以上の塩である反応生成物を含んでなり、
前記エンジンオイル組成物は、エンジンオイルとして使用するのに適合し、前記エンジンオイル組成物は、５０〜１０００ｐｐｍのリン含有量を有し、前記エンジンオイル組成物は、０．１〜２．０重量％の１種以上の塩である反応生成物を含有する（但し、エンジンオイル組成物の全重量基準）、エンジンオイル組成物。
【請求項２２】
添加剤パッケージが更に、抗酸化剤、消泡剤、モリブデン含有成分、チタン含有化合物、リン含有化合物、粘度指数向上剤、流動点降下剤および希釈油よりなる群から選択される少なくとも１種の添加剤を含んでなる、請求項１〜２０のいずれか１項のエンジンオイル組成物。
【請求項２３】
請求項１〜２１のいずれか１項に請求されるエンジンオイル組成物を使用してエンジンを潤滑する工程を含んでなる、エンジン内の薄膜および境界層の摩擦を改善する方法。
【請求項２４】
改善される薄膜および境界層の摩擦が、１種以上の摩擦修正剤成分の不存在下における同一組成物に関連して決定される、請求項２３に請求されるような方法。
【請求項２５】
請求項１〜２１のいずれか１項に請求されるエンジンオイル組成物を使用して、エンジンを潤滑する工程を含んでなる、エンジン内の境界層の摩擦を改善する方法。
【請求項２６】
改善される境界層の摩擦が、１種以上の摩擦修正剤成分の不存在下における同一組成物に関連して決定される、請求項２５に請求されるような方法。
【請求項２７】
請求項１〜２１のいずれか１項に請求されるエンジンオイル組成物を使用して、エンジンを潤滑する工程を含んでなる、エンジン内の薄膜の摩擦を改善する方法。
【請求項２８】
改善される薄膜の摩擦が、１種以上の摩擦修正剤成分の不存在下における同一組成物に関連して決定される、請求項２７に請求されるような方法。
【請求項２９】
基油が、鉱油、動物油及び合成油から成る群から選ばれる少なくとも1種である、請求項１〜２２のいずれか１項のエンジンオイル組成物。